(57)【特許請求の範囲】
【請求項１】
データドライバー駆動用信号とゲートドライバー駆動用信号とを出力し、外部から印加される垂直同期信号と水平同期信号とメインクロック信号とによって周期と振幅とを定義する第１信号を出力するタイミング制御部;
前記データドライバー駆動用信号に基づいて液晶キャパシターの極性を駆動させるデータ駆動電圧を出力するデータドライバー;
前記ゲートドライバー駆動用信号に基づいてゲート駆動電圧を出力するゲートドライバー;
前記第１信号の提供を受けて電圧レベルをアップまたはダウンし、前記ゲート駆動電圧に所定の周期で同調してスイングする共通電極電圧を出力する駆動電圧発生部;及び
ゲートラインとデータラインとによって囲まれた領域に形成されて前記それぞれのゲートライン及びデータラインに連結されたスイッチング素子と、前記スイング共通電圧が印加される共通電極と前記データ駆動電圧が印加される画素電極から成り、前記スイッチング素子のターンオン動作によって前記スイング共通電極電圧と前記データ駆動電圧とに比例するピクセル電圧によって光を透過する液晶キャパシターと、
前記スイッチング素子のターンオン時に前記データ駆動電圧を蓄積し、前記スイッチング素子のターンオフ時に蓄積されたデータ駆動電圧を前記液晶キャパシターに印加する保存キャパシターとを備え、フレームごとに以前フレームのライン極性とは相異する極性になるようにライン反転駆動されるＬＣＤパネル；
を含み、
前記共通電極は、互いに異なる共通電圧が印加される第１共通電極、第２共通電極、及び第３共通電極を含み、
前記駆動電圧発生部は、
ｎ番目のライン駆動時に、ゲートパルスの印加によって前記ゲートパルス幅のｋ倍の幅の第１共通電極電圧を前記第１共通電極に出力し、
ｎ+１番目のライン駆動時に、ゲートパルスの印加によって前記ゲートパルス幅のｋ倍の幅の第２共通電極電圧を前記第２共通電極に出力し、
ｎ+２番目のライン駆動時に、ゲートパルスの印加によって前記ゲートパルス幅のｋ倍の幅の第３共通電極電圧を前記第３共通電極に出力し、
前記ピクセル電圧が（−）から（+）で変更する場合、ゲートオン時間に（−）で終了する前記第１共通電極電圧及び前記第３共通電圧を出力し、
前記ピクセル電圧が（+）から（−）で変更する場合、ゲートオン時間に（+）で終了する前記第２共通電極電圧を出力し、
ゲートが閉じた後、（−）と（+）とを反復スイングする前記第１共通電極電圧、前記第２共通電圧、及び前記第３共通電圧を出力することを特徴とする、
スイング共通電極を利用した液晶表示装置。
【請求項２】
前記駆動電圧発生部は、
奇数番目のゲートライン駆動時に、ゲートパルスの印加によって前記ゲートパルス幅と同一な幅の第１共通電極電圧を出力し、
偶数番目のゲートライン駆動時に、ゲートパルスの印加によって前記第１共通電極電圧の極性に反転して前記ゲートパルス幅と同一な幅の共通電極電圧を出力することを特徴とする、請求項１に記載のスイング共通電極を利用した液晶表示装置。
【請求項３】
前記ピクセルに印加される平均電圧は、
【数１】
0005025047.tif 000005
（この時、Ｖｓはソース端印加電圧、Ｃｓｔはストリッジキャパシター又は保存キャパシタ、Ｃｇｄはゲート端とドレーン端との間の寄生キャパシター、Ｃｌｃは液晶キャパシター、△Ｖｃｏｍは前段共通電極電圧（Ｖｃｏｍ）と現在の共通電極電圧（Ｖｃｏｍ）との差電圧）であることを特徴とする、請求項１に記載のスイング共通電極を利用した液晶表示装置。
【請求項４】
前記ゲートラインは、隣接して交互に形成される第１ゲートラインと第２ゲートラインとからなり、前記データラインは、隣接して交互に形成される第１データラインと第２データラインからなり、
前記ＬＣＤパネルは、
第１ゲートラインと前記第１ゲートラインに隣接する第２ゲートラインとの間に水平方向に設けられた第１共通電極ライン;及び
前記第１共通電極ラインと前記第２ゲートラインとの間に設けられた第２共通電極ラインを含み、
前記第１共通電極ラインは、第１及び第２データラインによって形成される領域である垂直コラムの１つおきにピクセル電極と連結され、前記第２共通電極ラインは、前記第１共通電極ラインが連結されていないピクセル電極と連結され、
前記駆動電圧発生部は、
ｎ番目のライン駆動時に、ゲートパルスの印加によって前記ゲートパルス幅のｋ倍の幅の第１共通電極電圧を、ｎ+１番目のライン駆動時に、ゲートパルスの印加によって前記ゲートパルス幅のｋ倍の幅の第２共通電極電圧を、ｎ+２番目のライン駆動時に、ゲートパルスの印加によって前記ゲートパルス幅のｋ倍の幅の第３共通電極電圧を各々前記第１共通電極ラインに出力し、
ｎ番目のライン駆動時に、ゲートパルスの印加によって前記ゲートパルス幅のｋ倍の幅の第４共通電極電圧を、ｎ+１番目のライン駆動時に、ゲートパルスの印加によって前記ゲートパルス幅のｋ倍の幅の第５共通電極電圧を、ｎ+２番目のライン駆動時に、ゲートパルスの印加によって前記ゲートパルス幅のｋ倍の幅の第６共通電極電圧を各々前記第２共通電極ラインに出力することを特徴とする、
請求項１に記載のスイング共通電極を利用した液晶表示装置。
【請求項５】
前記駆動電圧発生部は、
前記第１ゲートラインを駆動するときに、ゲートパルスの印加によって、前記ゲートパルス幅と同一な幅の第１共通電極電圧を前記第１共通電極ラインに出力し、前記第１共通電極電圧の極性に反転して前記ゲートパルス幅と同一な幅の第２共通電極電圧を前記第２共通電極ラインに出力し、
前記第２ゲートラインを駆動するときに、ゲートパルスの印加によって、前記第１共通電極電圧の極性に反転して前記ゲートパルス幅と同一な幅の第２共通電極電圧を前記第１共通電極ラインに出力し、ゲートパルス幅と同一な幅の第１共通電極電圧を前記第２共通電極ラインに出力する、
ことを特徴とする請求項４に記載のスイング共通電極を利用した液晶表示装置。
【請求項６】
前記ゲートラインは、隣接して交互に形成される第１ゲートラインと第２ゲートラインとからなり、前記データラインは、隣接して交互に形成される第１データラインと第２データラインからなり、
前記ＬＣＤパネルは、
前記データライン間に形成される垂直コラムの１つおきに設けられた第１共通電極ライン;及び
前記第１共通電極ラインが設けられた垂直コラム以外の垂直コラムに設けられた第２共通電極ラインを含み、
前記第１共通電極ラインは、第１及び第２データラインによって形成される領域である垂直コラムの１つおきにピクセル電極と連結され、前記第２共通電極ラインは、前記第１共通電極ラインが連結されていないピクセル電極と連結され、
前記第１及び第２共通電極ラインの各々はゲートラインとデータラインとの間に各々形成される液晶キャパシターのキャパシタンスに対応して所定の面積を有する第１及び第２保存キャパシターをそれぞれ含み、
前記駆動電圧発生部は、
ｎ番目のライン駆動時に、ゲートパルスの印加によって前記ゲートパルス幅のｋ倍の幅の第１共通電極電圧を、ｎ+１番目のライン駆動時に、ゲートパルスの印加によって前記ゲートパルス幅のｋ倍の幅の第２共通電極電圧を、ｎ+２番目のライン駆動時に、ゲートパルスの印加によって前記ゲートパルス幅のｋ倍の幅の第３共通電極電圧を各々前記第１共通電極ラインに出力し、
ｎ番目のライン駆動時に、ゲートパルスの印加によって前記ゲートパルス幅のｋ倍の幅の第４共通電極電圧を、ｎ+１番目のライン駆動時に、ゲートパルスの印加によって前記ゲートパルス幅のｋ倍の幅の第５共通電極電圧を、ｎ+２番目のライン駆動時に、ゲートパルスの印加によって前記ゲートパルス幅のｋ倍の幅の第６共通電極電圧を各々前記第２共通電極ラインに出力することを特徴とする、
請求項１に記載のスイング共通電極を利用した液晶表示装置。
【請求項７】
前記ＬＣＤパネルは、
前記共通電極ラインが前記ゲートラインのそれぞれと隣接して設けられ、
前記データライン間に形成される垂直コラムの１つおきに、隣接する共通電極ライン及びゲートラインを連結して形成された第１保存キャパシターと、
前記第１保存キャパシターが形成された垂直コラム以外の垂直コラムに、前記ゲートラインと当該ゲートラインの次のゲートラインに隣接する共通電極ラインとを連結して形成された第２保存キャパシターと、
を含むことを特徴とする請求項４に記載のスイング共通電極を利用した液晶表示装置。
【請求項８】
前記駆動電圧発生部は、
前記第１ゲートラインに隣接する共通電極ラインにはゲートパルスの印加によって前記ゲートパルス幅と同一な幅の第１極性の共通電極電圧を印加し、
前記第２ゲートラインに隣接する共通電極ラインにはゲートパルスの印加によって前記ゲートパルス幅と同一な幅の第２極性の共通電極電圧を印加する、
ことを特徴とする請求項７に記載のスイング共通電極を利用した液晶表示装置。
【請求項９】
前記駆動電圧発生部は、
ｎ番目の共通電極ラインにはゲートパルスの印加によって前記ゲートパルス幅の２倍に該当する幅を有する第１極性の共通電極電圧を印加し、
ｎ+１番目の共通電極ラインにはゲートパルスの印加によって前記ゲートパルス幅の２倍に該当する幅を有する第２極性の共通電極電圧を印加し、
ｎ+２番目の共通電極ラインにはゲートパルスの印加によって前記ゲートパルス幅の２倍に該当する幅を有する第３極性の共通電極電圧を印加し、
ｎ+３番目の共通電極ラインにはゲートパルスの印加によって前記ゲートパルス幅の２倍に該当する幅を有する第４極性の共通電極電圧を印加することを特徴とする、
請求項７に記載のスイング共通電極を利用した液晶表示装置。
【請求項１０】
前記駆動電圧発生部は、
ｎ番目の共通電極ラインにはゲートパルスの印加によって前記ゲートパルス幅の３倍に該当する幅を有する第１極性の共通電極電圧を印加し、
ｎ+１番目の共通電極ラインにはゲートパルスの印加によって前記ゲートパルス幅の３倍に該当する幅を有する第２極性の共通電極電圧を印加し、
ｎ+２番目の共通電極ラインにはゲートパルスの印加によって前記ゲートパルス幅の３倍に該当する幅を有する第３極性の共通電極電圧を印加する、
ことを特徴とする請求項７に記載のスイング共通電極を利用した液晶表示装置。
【請求項１１】
前記駆動電圧発生部は、
ｎ番目の共通電極ラインにはゲートパルスの印加によって前記ゲートパルス幅の５倍に該当する幅を有する第１極性の共通電極電圧を印加し、
ｎ+１番目の共通電極ラインにはゲートパルスの印加によって前記ゲートパルス幅の５倍に該当する幅を有する第２極性の共通電極電圧を印加し、
ｎ+２番目の共通電極ラインにはゲートパルスの印加によって前記ゲートパルス幅の５倍に該当する幅を有する第３極性の共通電極電圧を印加し、
ｎ+３番目の共通電極ラインにはゲートパルスの印加によって前記ゲートパルス幅の５倍に該当する幅を有する第４極性の共通電極電圧を印加し、
ｎ+４番目の共通電極ラインにはゲートパルスの印加によって前記ゲートパルス幅の５倍に該当する幅を有する第５極性の共通電極電圧を印加する、
ことを特徴とする請求項７に記載のスイング共通電極を利用した液晶表示装置。
【請求項１２】
前記駆動電圧発生部は、
ｎ番目の共通電極ラインにはゲートパルスの印加によって前記ゲートパルス幅の３倍に該当する幅を有する第１極性の共通電極電圧を印加し、
ｎ+１番目の共通電極ラインにはゲートパルスの印加によって前記ゲートパルス幅の３倍に該当する幅を有する第２極性の共通電極電圧を印加し、
ｎ+２番目の共通電極ラインにはゲートパルスの印加によって前記ゲートパルス幅の３倍に該当する幅を有する第３極性の共通電極電圧を印加し、
ｎ+３番目の共通電極ラインにはゲートパルスの印加によって前記ゲートパルス幅の３倍に該当する幅を有する第４極性の共通電極電圧を印加し、
ｎ+４番目の共通電極ラインにはゲートパルスの印加によって前記ゲートパルス幅の３倍に該当する幅を有する第５極性の共通電極電圧を印加し、
ｎ+５番目の共通電極ラインにはゲートパルスの印加によって前記ゲートパルス幅の３倍に該当する幅を有する第６極性の共通電極電圧を印加する、
ことを特徴とする請求項７に記載のスイング共通電極を利用した液晶表示装置。
【請求項１３】
前記ＬＣＤパネルは、
前記共通電極ラインは、前記第１及び第２ゲートラインの間に第１及び第２ゲートラインに沿って設けられ、
隣接する第１及び第２ゲートラインと、前記隣接する第１及び第２ゲートラインの間の共通電極ラインと、隣接する２本の第１データラインと、前記隣接する２本の第１データラインの間の第２データラインとによって形成される領域に形成される第１乃至第４ピクセルとを含み、
前記第１ピクセルは、当該第１ゲートラインと、当該共通電極ラインと、当該一方の第１データラインと、当該第２データラインとによって形成される領域に形成され、一端が当該第１ゲートラインに連結されて他端が当該共通電極ラインに連結され、
前記第２ピクセルは、当該共通電極ラインと、当該第２ゲートラインと、当該一方の第１データラインと、当該第２データラインとによって形成される領域に形成され、一端が当該第２ゲートラインに連結され、
前記第３ピクセルは、当該第１ゲートラインと、当該共通電極ラインと、当該第２データラインと、当該他方の第１データラインとによって形成される領域に形成され、一端が当該第１ゲートラインに連結され、
前記第４ピクセルは、当該共通電極ラインと、当該第２ゲートラインと、当該第２データラインと、当該他方の第１データラインとによって形成される領域に形成され、一端が当該共通電極ラインに連結されて他端が当該第２ゲートラインに連結される、
請求項４に記載のスイング共通電極を利用した液晶表示装置。
【請求項１４】
データドライバー駆動用信号とゲートドライバー駆動用信号とを出力し、外部から印加される垂直同期信号と水平同期信号とメインクロック信号とによって周期と振幅とを定義する第１信号を出力するタイミング制御部と、前記データドライバー駆動用信号に基づいて液晶キャパシターの極性を駆動させるデータ駆動電圧を出力するデータドライバーと、前記ゲートドライバー駆動用信号に基づいてゲート駆動電圧を出力するゲートドライバーと、前記第１信号の提供を受けて電圧レベルをアップまたはダウンし、前記ゲート駆動電圧に所定の周期で同調してスイングする共通電極電圧を出力する駆動電圧発生部と、ゲートラインとデータラインとによって囲まれた領域に形成されて前記それぞれのゲートライン及びデータラインに連結されたスイッチング素子と、前記スイッチング素子のターンオン動作によって前記スイング共通電極電圧と前記データ駆動電圧とに比例するピクセル電圧によって光を透過する液晶キャパシターと、前記スイング共通電圧が印加される共通電極と前記データ駆動電圧が印加される画素電極から成り、前記スイッチング素子のターンオン時に前記データ駆動電圧を蓄積し、前記スイッチング素子のターンオフ時に蓄積されたデータ駆動電圧を前記液晶キャパシターに印加する保存キャパシターとを備え、前記共通電極は、互いに異なる共通電圧が印加される第１共通電極、第２共通電極、及び第３共通電極を含むＬＣＤパネルを含む液晶表示装置をフレームごとに反転駆動する液晶表示装置の駆動方法において、
（ａ）前記駆動電圧発生部は、ｎ番目のライン駆動時に、ゲートパルスの印加によって前記ゲートパルス幅のｋ倍の幅の第１共通電極電圧を出力する段階；
（ｂ）前記駆動電圧発生部は、ｎ+１番目のライン駆動時に、ゲートパルスの印加によって前記ゲートパルス幅のｋ倍の幅の第２共通電極電圧を出力する段階；
（ｃ）ｎ+２番目のライン駆動時に、ゲートパルスの印加によって前記ゲートパルス幅のｋ倍の幅の第３共通電極電圧を出力する段階；
を含み、
前記ピクセル電圧が（−）から（+）で変更する場合、ゲートオン時間に（−）で終了する前記第１共通電極電圧及び前記第３共通電圧を出力し、
前記ピクセル電圧が（+）から（−）で変更する場合、ゲートオン時間に（+）で終了する前記第２共通電極電圧を出力し、
ゲートが閉じた後、（−）と（+）とを反復スイングする前記第１共通電極電圧、前記第２共通電圧、及び前記第３共通電圧を出力することを特徴とする液晶表示装置の駆動方法。
【発明の詳細な説明】
【０００１】
【発明の属する技術分野】
本発明は液晶表示装置及びその駆動方法に関し、より詳しくはゲートパルスに同調して共通電極電圧をスイングさせることで発生するオーバーシュートを通じて応答速度を向上させるための液晶表示装置及びその駆動方法に関する。
【０００２】
【従来の技術】
近来、パソコンやテレビなどの軽量化、薄型化によってディスプレイ装置も軽量化、薄型化が要求されており、このような要求によって陰極線管（ＣＲＴ）の代りに液晶表示装置（ＬＣＤ）のようなフラットパネル型ディスプレイが開発されて多様な分野において実用化されている。
【０００３】
ＬＣＤは二つの基板の間に注入されている異方性誘電率を有する液晶物質に電界を印加し、この電界の強さを調節して基板に透過される光の量を調節することによって所望の画像信号を得る表示装置である。このようなＬＣＤは携帯が簡便なフラットパネル型ディスプレイ装置の中の代表的なものであり、その中でも薄膜トランジスタ（Ｔｈｉｎ Ｆｉｌｍ Ｔｒａｎｓｉｓｔｏｒ;ＴＦＴ）をスイッチング素子として利用したＴＦＴ-ＬＣＤが主に利用されている。
【０００４】
図１は一般的なＴＦＴ-ＬＣＤの画素等価回路を説明するための図面である。
【０００５】
図１に示すように、一般的なＴＦＴ-ＬＣＤの画素はソース端とゲート端とが各々データラインとゲートラインに連結されたＴＦＴスイッチング素子、Ｔ−ＦＴスイッチング素子のドレーン端に各々連結されている液晶キャパシター（Ｃｌｃ）と保存キャパシター（Ｃｓｔ）、ゲート端とドレーン端との間の寄生キャパシター（Ｃｇｄ）、ドレーン端とソース端との間の寄生キャパシター（Ｃｄｓ）、データラインと画素電極との間のオーバーラップキャパシター（Ｃｏ−ｖｅｒ）を含む。
【０００６】
ＴＦＴ基板にある画素電極（Ｖｐ）とカラーフィルター基板にある共通電極（Ｖｃｏｍ）との間にある液晶がどのように駆動するかを簡単に見てみる。
【０００７】
まず、ゲートラインを通じて正極性のパルスが印加されるとＴＦＴスイッチング素子はターンオン状態となる。この時、信号線を通じてＴＦＴスイッチング素子のソース電極に印加された信号電圧はドレーンを通じて液晶キャパシター及び保存キャパシターに印加される。ゲートパルスと共に印加された信号電圧はゲート電圧がオフされた後にも継続して維持され液晶キャパシターに印加される。しかし、ゲート端とドレーン端との間の寄生キャパシタンス（Ｃｇｄ）のために画素電圧は一定の電圧程度の電圧レベルシフトが生じるようになる。
【０００８】
このような液晶表示装置（ＬＣＤ）を大画面応用等に対応させるのにあたって最も大きい制限が応答速度である。このような大画面液晶表示装置で応答速度を改善するために松下社では現在適用しているＣＣＤ（Ｃａｐａｃｉｔｉｖ−ｅ Ｃｏｕｐｌｅｄ Ｄｒｉｖｉｎｇ）方式を改良して液晶表示装置の応答速度を改善している。
【０００９】
図２は一般的なＣＣＤの効果を説明するための図面である。
【００１０】
図２に示すように、ピクセルに加えるオーバーシュート/アンダーシュート（Ｏｖｅｒ ｓｈｏｏｔ/Ｕｎｄｅｒ ｓｈｏｏｔ）させる方向は誘電率の低い液晶特性によって決定される。共通電極（ＣＯＭ）にパルスを印加するとキャパシティブカップリング（ｃａｐａｃｉｔｉｖｅ ｃｏｕｐｌｉｎｇ）される量は液晶の誘電率が小さい状態でのパルス方向により大きく現れる。共通電極（ＣＯＭ）に印加する方向は、（+）から（-）で反転する場合には電圧をまず下げてから上げるパルスを、（-）から（+）で反転する場合には電圧を上げてから下げるパルスを印加すると、ノーマルホワイト（Ｎｏｒｍａｌ ｗｈｉｔｅ）の場合、ハイグレー（Ｈｉｇｈ ｇｒａｙ）レベルからローグレー（Ｌｏｗ ｇｒａｙ）レベルに変化したり、あるいはローグレーレベルからハイグレーレベルに変化する時に、常に液晶には所望の正常状態の電圧よりアンダーシュート（Ｕ−ｎｄｅｒ ｓｈｏｏｔ）とオーバーシュート（Ｏｖｅｒ ｓｈｏｏｔ）とが起こって液晶がより急速に回転する。
【００１１】
図３は松下（Ｍａｔｓｕｓｈｉｔａ）社で提案する前段ゲートを利用したＴＦＴ-ＬＣＤの画素等価回路を説明するための図面であり、図４は前記図３の松下社で提案する前段ゲート信号を利用した応答速度の向上を説明するための波形図である。
【００１２】
図３に示すように、松下社で提案するＴＦＴ-ＬＣＤの画素等価回路は保存キャパシター（Ｃｓｔ）の一端はドレーンに連結され、他端は前段ゲートに連結されている。
【００１３】
動作時にゲートパルスを印加することによってピクセルに印加される平均電圧（Ｖｐ）は下記の数２の通りである。
【数２】
0005025047.tif 000002
【００１４】
ここで、Ｖｓはソース端印加電圧、Ｃｓｔは保存キャパシターのキャパシタンス、Ｃｇｄはゲート端とドレーン端との間の寄生キャパシタンス、Ｃｌｃは液晶キャパシターのキャパシタンス、△Ｖｇは前段ゲート電圧と現在のゲート電圧との間の差電圧である。
【００１５】
【発明が解決しようとする課題】
しかし、松下社で提案する方法は前段ゲートを用いるのでゲートロードが大きく、ライン反転駆動だけに適用することができるのでクロストークの発生及びフリッカーの発生によって大型高精細化がむずかしいという問題点がある。
【００１６】
また、松下社で提案する方法は既存のゲートタップＩＣを使用することができず、オフである時のゲート電圧をあまりにも高くするとオフ電流（Ｉｏｆｆ）が大きくなってゲートの値を変化させる幅に限界があるという問題点がある。
【００１７】
以上で説明したように、松下社で提案する前段ゲート信号の使用と、二つの段階のゲート信号を印加する駆動方法は応答速度向上には大きく寄与するが、前段ゲートとライン反転とを使用するという点で大型高精細化の液晶表示装置に適用するのには限界があるという問題点がある。
【００１８】
本発明の技術と課題はこのような従来の問題点を解決するためのものであって、本発明の目的は、液晶表示装置の応答速度の向上のためにスイング共通電極を利用した液晶表示装置を提供することにある。
【００１９】
また、本発明の他の目的は液晶表示装置のライン反転駆動時の応答速度を向上させるのに適したスイング共通電極を利用した液晶表示装置を提供することにある。
【００２０】
また、本発明の他の目的は液晶表示装置のドット反転駆動時の応答速度を向上させるのに適したスイング共通電極を利用した液晶表示装置を提供することにある。
【００２１】
また、本発明の他の目的は液晶表示装置の応答速度を向上させるためにスイング共通電極を利用した液晶表示装置の駆動方法を提供することにある。
【００２２】
【課題を解決するための手段】
【００２３】
また、前記本発明の他の目的を実現するための一つの特徴による液晶表示装置は、データドライバー駆動用信号とゲートドライバー駆動用信号とを出力し、外部から印加される垂直同期信号と水平同期信号とメインクロック信号とによって周期と振幅とを定義する第１信号を出力するタイミング制御部、前記データドライバー駆動用信号に基づいて液晶キャパシターの極性を駆動させるデータ駆動電圧を出力するデータドライバー、前記ゲートドライバー駆動用信号に基づいてゲート駆動電圧を出力するゲートドライバー、前記第１信号の提供を受けて電圧レベルをアップまたはダウンし、前記ゲート駆動電圧に所定の周期で同調してスイングする共通電極電圧を出力する駆動電圧発生部、及びゲートラインとデータラインとによって囲まれた領域に形成されて前記それぞれのゲートライン及びデータラインに連結されたスイッチング素子と、前記スイング共通電圧が印加される共通電極と前記データ駆動電圧が印加される画素電極から成り、前記スイッチング素子のターンオン動作によって前記スイング共通電極電圧と前記データ駆動電圧とに比例するピクセル電圧によって光を透過する液晶キャパシターと、前記スイッチング素子のターンオン時に前記データ駆動電圧を蓄積し、前記スイッチング素子のターンオフ時に蓄積されたデータ駆動電圧を前記液晶キャパシターに印加する保存キャパシターとを備え、フレームごとに以前のフレームのライン極性とは相異する極性になるようにライン反転駆動されるＬＣＤパネルを含み、前記共通電極は、互いに異なる共通電圧が印加される第１共通電極、第２共通電極、及び第３共通電極を含み、前記駆動電圧発生部は、ｎ番目のライン駆動時に、ゲートパルスの印加によって前記ゲートパルス幅のｋ倍の幅の第１共通電極電圧を前記第１共通電極に出力し、ｎ+１番目のライン駆動時に、ゲートパルスの印加によって前記ゲートパルス幅のｋ倍の幅の第２共通電極電圧を前記第２共通電極に出力し、ｎ+２番目のライン駆動時に、ゲートパルスの印加によって前記ゲートパルス幅のｋ倍の幅の第３共通電極電圧を前記第３共通電極に出力し、前記ピクセル電圧が（−）から（+）で変更する場合、ゲートオン時間に（−）で終了する前記第１共通電極電圧及び前記第３共通電圧を出力し、前記ピクセル電圧が（+）から（−）で変更する場合、ゲートオン時間に（+）で終了する前記第２共通電極電圧を出力し、ゲートが閉じた後、（−）と（+）とを反復スイングする前記第１共通電極電圧、前記第２共通電圧、及び前記第３共通電圧を出力することを特徴とする。
【００２５】
また、前記本発明の他の目的を実現するための一つの特徴による液晶表示装置の駆動方法は、データドライバー駆動用信号とゲートドライバー駆動用信号とを出力し、外部から印加される垂直同期信号と水平同期信号とメインクロック信号とによって周期と振幅とを定義する第１信号を出力するタイミング制御部と、前記データドライバー駆動用信号に基づいて液晶キャパシターの極性を駆動させるデータ駆動電圧を出力するデータドライバーと、前記ゲートドライバー駆動用信号に基づいてゲート駆動電圧を出力するゲートドライバーと、前記第１信号の提供を受けて電圧レベルをアップまたはダウンし、前記ゲート駆動電圧に所定の周期で同調してスイングする共通電極電圧を出力する駆動電圧発生部と、ゲートラインとデータラインとによって囲まれた領域に形成されて前記それぞれのゲートライン及びデータラインに連結されたスイッチング素子と、前記スイッチング素子のターンオン動作によって前記スイング共通電極電圧と前記データ駆動電圧とに比例するピクセル電圧によって光を透過する液晶キャパシターと、前記スイング共通電圧が印加される共通電極と前記データ駆動電圧が印加される画素電極から成り、前記スイッチング素子のターンオン時に前記データ駆動電圧を蓄積し、前記スイッチング素子のターンオフ時に蓄積されたデータ駆動電圧を前記液晶キャパシターに印加する保存キャパシターとを備え、前記共通電極は、互いに異なる共通電圧が印加される第１共通電極、第２共通電極、及び第３共通電極を含むＬＣＤパネルを含む液晶表示装置をフレームごとに反転駆動する液晶表示装置の駆動方法において、
（ａ）前記駆動電圧発生部は、ｎ番目のライン駆動時に、ゲートパルスの印加によって前記ゲートパルス幅のｋ倍の幅の第１共通電極電圧を出力する段階；
（ｂ）前記駆動電圧発生部は、ｎ+１番目のライン駆動時に、ゲートパルスの印加によって前記ゲートパルス幅のｋ倍の幅の第２共通電極電圧を出力する段階；
（ｃ）ｎ+２番目のライン駆動時に、ゲートパルスの印加によって前記ゲートパルス幅のｋ倍の幅の第３共通電極電圧を出力する段階；を含み、
前記ピクセル電圧が（−）から（+）で変更する場合、ゲートオン時間に（−）で終了する前記第１共通電極電圧及び前記第３共通電圧を出力し、前記ピクセル電圧が（+）から（−）で変更する場合、ゲートオン時間に（+）で終了する前記第２共通電極電圧を出力し、ゲートが閉じた後、（−）と（+）とを反復スイングする前記第１共通電極電圧、前記第２共通電圧、及び前記第３共通電圧を出力することを特徴とする。
【００２６】
このようなスイング共通電極を利用した液晶表示装置及びその駆動方法によると、保存キャパシターとして用いる共通電極ラインの独立配線をゲートパルスに同調して所定の周期でスイングさせることによってオーバーシュートを発生することができるので、液晶キャパシターによるメモリ効果によって階調が変化する時応答速度を向上させることができる。
【００２７】
【発明の実施の形態】
以下、通常の知識を有する者が本発明を容易に実施することができるように実施例に関して説明する。
【００２８】
図５は、本発明による周期的スイング共通電圧によるピクセル電圧の変化を説明するための波形図である。
【００２９】
図５に示すように、一つのピクセルに印加される電圧を示した波形図で、共通電極電圧をスイングさせることによって、ピクセルに印加される電圧をスイングさせる。この時、ピクセルに印加される平均電圧（Ｖｐ）は下記の数３の通りである。
【数３】
0005025047.tif 000003
【００３０】
ここで、Ｖｓはソース端印加電圧、Ｃｓｔは保存キャパシターのキャパシタンス、Ｃｇｄはゲート端とドレーン端との間の寄生キャパシタンス、Ｃｌｃは液晶キャパシターのキャパシタンス、△Ｖｃｏｍは前段共通電極電圧（Ｖｃｏｍ）と現在の共通電極電圧（Ｖｃｏｍ）との差電圧である。
【００３１】
この時、共通電極に追加で印加される電圧は
【数４】
0005025047.tif 000004
に比例する値であることが分かる。従って、液晶キャパシター（Ｃｃｌ）によるメモリ効果によって階調が変化する時にオーバーシュート（ｏｖｅｒｓｈｏｏｔ）が発生して応答速度を向上させることができる。
【００３２】
前記方法を適用するためには次のような３つの条件を全て満たせば、液晶表示装置の応答速度を向上させることができる。
【００３３】
（i）条件１
ピクセル電圧が（-）から（+）で変わる場合、ゲートオン時間に共通電極電圧が（-）で終了。
（ii）条件２
ピクセル電圧が（+）から（-）で変わる場合、ゲートオン時間に共通電極電圧が（+）で終了。
（iii）条件３
ゲートが閉じた後、（-）と（+）とを反復スイング。
【００３４】
次に、前記条件１乃至３を満たす液晶表示装置の多様な駆動方法について説明する。
【００３５】
図６は、本発明の実施例によるスイング共通電極を利用した液晶表示装置を説明するための図面である。
【００３６】
図６を参照すると、本発明の実施例によるスイング共通電極を利用した液晶表示装置はタイミング制御部１００、データドライバー２００、ゲートドライバー３００、駆動電圧発生部４００及びＬＣＤパネル５００を含む。
【００３７】
タイミング制御部１００はデータドライバー駆動用信号（ＬＯＡＤ、Ｈｓｔａｒｔ、Ｒ・Ｇ・Ｂ）とゲートドライバー駆動用信号（Ｇａｔｅ Ｃｌｋ、Ｖｓｔａｒｔ）とを出力し、外部から印加される垂直同期信号（Ｖｓｙｎｃ）と水平同期信号（Ｈｓｙｎｃ）とメインクロック信号（ＭＣＬＫ）とによって共通電極電圧（Ｖｃｏｍ）の周期と振幅とを定義する第１信号を駆動電圧発生部４００に出力する。
【００３８】
データドライバー２００はデータドライバー駆動用信号（ＬＯＡＤ、Ｈｓｔａｒｔ、Ｒ・Ｇ・Ｂ）に基づいて液晶キャパシター（Ｃｌｃ）の極性を駆動させるデータ駆動電圧（Ｄ１，Ｄ２，．．．，Ｄｍ）をＬＣＤパネル５００のデータラインに各々出力する。
【００３９】
ゲートドライバー３００はタイミング制御部１００から提供されるゲートドライバー駆動用信号（Ｇａｔｅ Ｃｌｋ、Ｖｓｔａｒｔ）と駆動電圧発生部４００から提供されるＶｏｎ、Ｖｏｆｆとに基づいてゲート駆動電圧（Ｇ１，Ｇ２，．．．，Ｇｎ）を出力する。
【００４０】
駆動電圧発生部４００は共通電極電圧（Ｖｃｏｍ）の周期と振幅とを定義する第１信号の提供を受けて前記第１信号の電圧レベルをアップまたはダウンし、ゲート駆動電圧に所定の周期で同調するスイング共通電極電圧（Ｖｃｏｍ）を出力する。
【００４１】
ＬＣＤパネル５００は、走査信号を伝送する一つ以上のゲートラインと、ゲートラインと交差して画像信号を伝送する一つ以上のデータラインと、ゲートライン及びデータラインによって囲まれた領域に形成されてそれぞれのゲートライン及びデータラインに連結されたスイッチング素子（ＴＦＴ）と、スイッチング素子のターンオン動作によってデータ駆動電圧に比例してバックライトから提供される光を透過する液晶キャパシター（Ｃｌｃ）と、スイッチング素子のターンオン時にデータ駆動電圧を蓄積し、スイッチング素子のターンオフ時に蓄積されたデータ駆動電圧を液晶キャパシター（Ｃｌｃ）に印加する保存キャパシター（Ｃｓｔ）とを備える。
【００４２】
以上で説明したように、駆動電圧発生部から出力される共通電極電圧はＬＣＤパネル上に水平方向に形成された共通電極ラインに、または垂直方向に形成された共通電極ラインに印加されてオーバーシュートが発生し、発生したオーバーシュートによって液晶表示装置の応答速度を向上させることができる。
【００４３】
図７は、本発明によって液晶表示装置のライン反転駆動でシングル共通電極を適用した場合を説明するための波形図である。
【００４４】
図７に示すように、奇数番目、つまりｎ-１番目とｎ+１番目とのライン駆動時にゲートパルスの印加によってゲートパルス幅と同一な幅の第１共通電極電圧を出力し、偶数番目、つまりｎ番目のライン駆動時にゲートパルスの印加によってゲートパルス幅と同一な幅の第２共通電極電圧を出力する。
【００４５】
つまり、ｎ番目のラインは（-）から（+）で変わるラインで共通電極電圧が（-）で終わることが分かり（条件１満足）、反面、（ｎ-１）番目と（ｎ+１）番目とのラインの各々は（+）から（-）で変わるラインでゲートオンである時に共通電極電圧が（+）で終わることが分かる（条件２満足）。そしてゲートオフである時に共通電極電圧は周期的にスイングする（条件３満足）。
【００４６】
各ラインの電圧は同一な模様をしているので一種類の共通電極によってオーバーシュートさせる電圧を印加することができる。
【００４７】
以上で説明したように、液晶表示装置のライン反転駆動時にはゲートパルスの印加によってゲートパルスの幅と同一であり、極性反転するシングル共通電極電圧を用いて容易に駆動することによって液晶表示装置の応答速度を向上させることができ、前記三つの条件の全てを同時に満たすことが分かる。
【００４８】
図８は、本発明によって液晶表示装置のライン反転駆動で３種類の共通電極駆動を適用した場合を説明するための波形図である。
【００４９】
図８に示すように、ｎ番目のライン駆動時にゲートパルスの印加によってオン周期がゲートパルス幅の３倍に該当するパルス幅を有する第１極性の共通電極電圧を出力し、ｎ+１番目のライン駆動時にゲートパルスの印加によってオン周期がゲートパルス幅の３倍に該当するパルス幅を有する第２極性の共通電極電圧を出力し、ｎ+２番目のライン駆動時にゲートパルスの印加によってオン周期がゲートパルス幅の３倍に該当するパルス幅を有する第３極性の共通電極電圧を出力する。
【００５０】
ここで、ｎ番目のラインとｎ+２番目のラインとは（-）から（+）で変わるラインで、共通電極電圧が（-）で終わることが分かり（条件１満足）、反面、（ｎ+１）番目と（ｎ+３）番目とのラインの各々は（+）から（-）で変わるラインで、ゲートオンである時に共通電極電圧が（+）で終わることが分かり（条件２満足）、そしてゲートオフである時に共通電極電圧は周期的にスイングする（条件３満足）。
【００５１】
以上で説明したように、ライン反転駆動で応答速度を向上させるために３種類の共通電極（ｃｏｍｍｏｎ Ａ〜Ｃ）を用いる。共通電極Ａにはｎ、ｎ+３、ｎ+６、ｎ+９のラインがたばねられて同一な共通電極電圧が印加され、同様に、共通電極Ｂにはｎ+１、ｎ+４、ｎ+７のラインがたばねられて同一な共通電極電圧が印加され、共通電極Ｃにはｎ+２、ｎ+５、ｎ+８のラインがたばねられて同一な共通電極電圧が印加される。
【００５２】
このような方法で４種、５種、６種など多様な個数の共通電極を用いてライン反転駆動方式を採択した液晶表示装置を駆動することができる。このようにして得られる長所は、共通電極をスイングさせる周波数を低くすることができるということである。つまり、共通電極に印加される電圧の周波数が高くなって発生し得る問題、例えば消費電力の上昇などの問題を除去することができる。
【００５３】
以上の図７乃至図８ではライン反転駆動時の液晶表示装置の応答速度を向上させるために駆動電圧発生部４００から出力され得る多様な共通電極電圧の印加波形を説明した。
【００５４】
次に、以下でドット反転駆動時の液晶表示装置の応答速度を向上させるための方法を説明する。
【００５５】
しかし、本発明による保存キャパシターとして用いる共通電極を適当な周波数にスイングさせる概念を液晶表示装置のドット反転駆動に適用するには考慮しなければならない事項が多数発生する。
【００５６】
図９は、一般的な液晶表示装置のドット反転駆動のためのピクセル配置を説明するための図面である。
【００５７】
一般的な液晶表示装置のドット反転駆動時には一つのラインに（+）と（-）とが同時に存在する。したがって、ゲートが開く時に最小で二種類の共通電極が存在しなければならないが、図９に示すように、一般的なドット反転駆動のためのピクセル配置図によると、シングル共通電極ではオーバーシュートを発生させることができないことが分かる。
【００５８】
図１０は、本発明の実施例による液晶表示装置のドット反転駆動のための２重共通電極ラインの構造を説明するための図面であり、図１１は、前記図１０の画素等価回路を説明するための図面である。
【００５９】
図１０に示すように、ゲートラインとゲートラインとの間には二つの共通電極ライン（ｃｏｍｍｏｎ Ａ、Ｂ）を各々水平ライン方向に設け、共通電極ラインＡ（ｃｏｍｍｏｎ Ａ）は奇数番目（または偶数番目）のピクセル電極と連結し、共通電極ラインＢ（ｃｏｍｍｏｎ Ｂ）は偶数番目（または奇数番目）のピクセル電極と連結する。
【００６０】
以上で説明したように、同一なデータライン（Ｖｓ）に接続されているピクセルには同一な共通電極ライン、つまり縦に同一共通電極ラインが接続されていることが分かる。
【００６１】
図１２は、前記図１０の２重共通電極ラインに各々印加される共通電圧波形を説明するための波形図である。
【００６２】
図１２に示すように、奇数番目（または偶数番目）のゲートライン駆動時に、ゲートパルスの印加によって、ゲートパルス幅と同一な幅の第１共通電極電圧を共通電極ラインＡに出力し、第１共通電極電圧の極性に反転してゲートパルス幅と同一な幅の第２共通電極電圧を共通電極ラインＢに出力する。
【００６３】
また、偶数番目（または奇数番目）のゲートライン駆動時に、ゲートパルスの印加によって、第１共通電極電圧の極性に反転してゲートパルス幅と同一な幅の第２共通電極電圧を共通電極ラインＡに出力し、ゲートパルス幅と同一な幅の第１共通電極電圧を共通電極ラインＢに出力する。
【００６４】
以上で説明したように、共通電極電圧ＡとＢとを見ると、各々は前記図６で説明したライン反転における単一共通電極電圧の駆動方法と同一なことが確認するできる。
【００６５】
図１３は、前記図１０の２重共通電極ラインに各々印加される共通電圧の波形を説明するための波形図である。
【００６６】
図１３に示すように、共通電極電圧Ａを共通電極電圧Ａ-１、Ａ-２、Ａ-３に各々分割し、共通電極電圧Ｂを共通電極電圧Ｂ-１、Ｂ-２、Ｂ-３に各々分割し、総計で６種類に分割した共通電極電圧を用いて各々駆動する。つまり、フレームが変わるごとに共通電極電圧Ａと共通電極電圧Ｂとは交互に変わる。
【００６７】
以上、２種類の共通電極電圧を６種類に分割して駆動することを例として説明したが、２種類の共通電極電圧を８種類、１０種類など多様な個数の共通電極電圧に分割して印加することによって共通電極に印加される波形の周波数を低くすることができる。
【００６８】
図１４は、本発明によって液晶表示装置のソース/ドレーン（Ｓ/Ｄ）領域で共通電極を形成した場合を説明するための図面である。
【００６９】
図１４に示すように、共通電極ラインＡと共通電極ラインＢとは垂直方向に設けられているデータライン間に設けられ、共通電極ラインＡは奇数番目の垂直コラムに設けられ、共通電極ラインＢは偶数番目の垂直コラムに設けられる。
【００７０】
共通電極ラインＡと共通電極ラインＢとの各々に形成される保存キャパシター＜ｃｏｍｍｏｎ  Ａ＞と保存キャパシター＜ｃｏｍｍｏｎ  Ｂ＞とはゲートラインとデータラインとが交差する領域に所定の面積を有するように形成される。この時、保存キャパシター＜ｃｏｍｍｏｎ  Ａ＞及び＜ｃｏｍｍｏｎ  Ｂ＞が形成される面積は、ゲートパルスがオフされた時に液晶キャパシターによって漏洩される電流を補償する程度であれば十分である。
【００７１】
前記図１４で印加できる共通電極電圧信号は、図１２乃至図１３で言及した駆動方法と同一であるので、これに関する説明は省略する。
【００７２】
図１５は、本発明によってドット反転におけるシングル共通ライン配線構造を説明するための図面である。
【００７３】
図１５に図示するように、奇数番目の共通電極ラインが水平方向に各々設けられ、奇数番目のゲートラインが奇数番目の共通電極ラインと隣接配置されて水平方向に設けられ、偶数番目の共通電極ラインは水平方向に各々設けられ、偶数番目のゲートラインは偶数番目の共通電極ラインと隣接して水平方向に設けられる。
【００７４】
また、奇数番目のデータラインは垂直方向に、偶数番目のデータラインは垂直方向に各々設けられる。
【００７５】
また、第１保存キャパシターは奇数番目のデータラインと偶数番目のデータラインとによって分割された領域に、奇数番目の共通電極ラインと奇数番目の共通電極ラインとに隣接する奇数番目のゲートラインを連結して形成される。
【００７６】
また、第１保存キャパシターは奇数番目のデータラインと偶数番目のデータラインとによって分割された領域に、偶数番目の共通電極ラインと偶数番目の共通電極ラインとに隣接する偶数番目のゲートラインを連結して形成される。
【００７７】
また、第２保存キャパシターは偶数番目のデータラインと奇数番目のデータラインとによって分割された領域に、偶数番目のゲートラインと奇数番目の共通電極ラインとを連結して形成される。
【００７８】
また、第２保存キャパシターは偶数番目のデータラインと奇数番目のデータラインとによって分割された領域に、奇数番目のゲートラインと偶数番目共通ラインとを連結して形成される。
【００７９】
図１６は、前記図１５の共通ラインに印加される２種類の共通電圧信号を説明するための波形図である。
【００８０】
図１６に示すように、横線は共通電極ラインを示して横方向に進むほど時間が進むのを示す。横方向に一マスはゲートパルス幅と同一である。斜線の領域はゲートが開かれる領域である。１行に二マスが斜線領域である理由は共通電極に接続されているピクセルが共通電極を中心に上下二つのラインであるためでる。
【００８１】
つまり、一つのラインの共通電極が上側ラインの半分と下側ラインの半分とを担当している。
【００８２】
ｎ、ｎ+２、ｎ+４、ｎ+６番目の共通ラインはゲートがオンになった時に（+）で終わるので、（+）から（-）で変わるピクセルを担当している共通電極ラインであり、ｎ+１、ｎ+３、ｎ+５番目の共通ラインは反対に（-）から（+）で変わるピクセルを担当している共通電極ラインである。
【００８３】
ｎ、ｎ+２、ｎ+４、ｎ+６番目の共通ラインが同一な信号を有しており、ｎ+１、ｎ+３、ｎ+５番目の共通電極ラインが同一な信号を有している。
【００８４】
従って、前記駆動方法は奇数番目の共通電極ラインと偶数番目の共通電極ラインとの信号が反転して印加される。
【００８５】
図１７は、前記図１５の共通ラインに印加される４種類共通電圧信号を説明するための波形図である。
【００８６】
図１７に示すように、共通電極の周波数がゲートパルス幅の周波数の１/２に該当する。前記図１７をより詳細に見てみると、前記図１６の駆動と同一な結果が得られることが確認できる。つまり、一つのフレームが過ぎるとＡとＣとの信号が互いに変わり、ＢとＤとの信号が互いに変わる。
【００８７】
前記方法で用いると、多様な信号個数で駆動することができる。
【００８８】
図１８は前記図１５の共通ラインに印加される３種類の共通電圧信号を説明するための波形図であり、図１９は前記図１５の共通ラインに印加される５種類の共通電圧信号を説明するための波形図、図２０は前記図１５の共通ラインに印加される６種類の共通電圧信号を説明するための波形図である。
【００８９】
これに対する説明は省略し、ただし奇数個の信号が波長がより長く現れることが確認できる。
【００９０】
図２１は、本発明によってドット反転で分離型ピクセル構造を説明するための図面である。
【００９１】
図２１を参照すると、共通電極ラインはゲートラインとゲートラインとの間に水平方向に設けられる。
【００９２】
また、第１ピクセルは、奇数番目のゲートラインと偶数番目のゲートラインとによって、そして奇数番目のデータラインと偶数番目のデータラインとによって形成された領域に形成され、一端が奇数番目のゲートラインに連結されて他端が共通電極ラインに連結される。
【００９３】
また、第２ピクセルは奇数番目のゲートラインと偶数番目のゲートラインとによって、そして奇数番目のデータラインと偶数番目のデータラインとによって形成された領域に形成され、一端が偶数番目のゲートラインに連結される。
【００９４】
また、第３ピクセルは奇数番目のゲートラインと偶数番目のゲートラインとによって、そして偶数番目のデータラインと奇数番目のデータラインとによって形成された領域に形成され、一端が奇数番目のゲートラインに連結される。
【００９５】
また、第４ピクセルは奇数番目のゲートラインと偶数番目のゲートラインとによって、そして偶数番目のデータラインと奇数番目のデータラインとによって形成された領域に形成され、一端が共通電極ラインに連結されて、他端が偶数番目のゲートラインに連結される。
【００９６】
以上で説明したように、液晶表示装置をドット反転駆動するためにはゲートラインを中心に両側にピクセルを分割して適用する。この時は、ゲートラインと共通ラインとの間の距離が離隔しているので、ラインショートによる不良を減らすことができる。これに対する駆動方法は、前記図１６乃至図２０に示した駆動方法と同一な多様な方法を適用することができる。
【００９７】
前記では本発明の好ましい実施例を参照して説明したが、該当技術分野の熟練した当業者は特許請求の範囲に記載されている本発明の思想及び領域から外れない範囲内で本発明を多様に修正及び変更することができるのが理解できると思われる。
【００９８】
【発明の効果】
以上で説明したように、本発明によって保存キャパシターとして用いる共通電極ラインの独立配線をゲートパルスに同調して適当な周期でスイングさせ与えることによってオーバーシュートを発生することができるので、液晶キャパシターによるメモリ効果によって階調が変化する時の応答速度を向上させることができる。
【図面の簡単な説明】
【図１】一般的なＴＦＴ-ＬＣＤの画素等価回路を説明するための図面である。
【図２】一般的なＣＣＤの効果を説明するための図面である。
【図３】松下社で提案する前段ゲートを利用したＴＦＴ-ＬＣＤの画素等価回路を説明するための図面である。
【図４】前記図３の松下社で提案する前段ゲート信号を利用した応答速度の向上を説明するための波形図である。
【図５】本発明による周期的スイング共通電圧によるピクセル電圧の変化を説明するための波形図である。
【図６】本発明の実施例によるスイング共通電極を利用した液晶表示装置を説明するための図面である。
【図７】本発明によって液晶表示装置のライン反転駆動でシングル共通電極を適用した場合を説明するための波形図である。
【図８】本発明によって液晶表示装置のライン反転駆動でマルチ共通電極駆動を適用した場合を説明するための波形図である。
【図９】従来のドット反転構造におけるピクセル配置図を説明するための図面である。
【図１０】本発明によって液晶表示装置のドット反転駆動における２重共通電極ライン構造を説明するための図面である。
【図１１】前記図１０の画素等価回路を説明するための図面である。
【図１２】前記図１０の２重共通電極ラインに各々印加される共通電圧の波形を説明するための波形図である。
【図１３】前記図１０の２重共通電極ラインに各々印加される共通電圧の波形を説明するための波形図である。
【図１４】本発明によって液晶表示装置のソース/ドレーン（Ｓ/Ｄ）領域で共通電極を形成した場合を説明するための図面である。
【図１５】本発明によって液晶表示装置のドット反転駆動におけるシングル共通ライン配線構造を説明するための図面である。
【図１６】前記図１４の共通ラインに印加される２種類の共通電圧信号を説明するための波形図である。
【図１７】前記図１４の共通ラインに印加される４種類の共通電圧信号を説明するための波形図である。
【図１８】前記図１４の共通ラインに印加される３種類の共通電圧信号を説明するための波形図である。
【図１９】前記図１４の共通ラインに印加される５種類の共通電圧信号を説明するための波形図である。
【図２０】前記図１４の共通ラインに印加される６種類の共通電圧信号を説明するための波形図である。
【図２１】本発明によって液晶表示装置のドット反転駆動における分離型ピクセル構造を説明するための図面である。
【符号の説明】
１００   タイミング制御部
２００   データドライバー
３００   ゲートドライバー
４００   駆動電圧発生部
５００   ＬＣＤパネル
【図１】
0005025047.tif 000006
【図２】
0005025047.tif 000007
【図３】
0005025047.tif 000008
【図４】
0005025047.tif 000009
【図５】
0005025047.tif 000010
【図６】
0005025047.tif 000011
【図７】
0005025047.tif 000012
【図８】
0005025047.tif 000013
【図９】
0005025047.tif 000014
【図１０】
0005025047.tif 000015
【図１１】
0005025047.tif 000016
【図１２】
0005025047.tif 000017
【図１３】
0005025047.tif 000018
【図１４】
0005025047.tif 000019
【図１５】
0005025047.tif 000020
【図１６】
0005025047.tif 000021
【図１７】
0005025047.tif 000022
【図１８】
0005025047.tif 000023
【図１９】
0005025047.tif 000024
【図２０】
0005025047.tif 000025
【図２１】
0005025047.tif 000026